(57)【要約】  自動防火散水器組立体および封止方法は、入口と、出口と、入口と出口との間に延びる内部通路と、出口の周りに形成された封止面とを有する散水器の枠体を含む。組立体は、熱反応性起動部と、封止面と熱反応性起動部との間に配置された封止組立体も含む。封止組立体は、内部チャンバを画定する内面を有する本体を含む。内面は、封止面に関連して配置される部分を含み、それにより内部チャンバ内に配置され、内面のこの部分へ作用する流体が、封止面の方向へ封止力を提供する。【選択図】図２
2016530911.tif 000002
【特許請求の範囲】
【請求項１】
入口と、出口と、前記入口および前記出口から延びる内部通路とを有する散水器の枠体であって、前記出口の周りに形成された封止面を含む散水器の枠体と、
前記出口から離隔された偏向部材と、
前記内部通路を封止する封止組立体であって、近位端部と、遠位端部と、中心軸を囲み、外面、および内部チャンバを形成する内面を画定する壁部とを有する本体を含み、前記壁部が、前記内部チャンバを前記内部通路に露出する開口部を前記本体の前記近位端部に画定し、前記チャンバを閉鎖する床部を前記本体の前記遠位端部に画定する、封止組立体と、
前記封止組立体と前記偏向部材との間に配置され、前記本体の前記近位端部の一部分が前記封止面と係合し、前記内部チャンバと流体連通する前記内部通路との流体密封を形成するように、前記出口において前記封止組立体を支持する熱反応性起動部と
を備える自動防火散水器組立体。
【請求項２】
前記封止組立体の前記本体が、第１の平面、および前記中心軸に沿って前記第１の平面と交わり、二分割本体を画定する第２の平面に対し左右対称であり、前記二分割本体が、平面断面輪郭を画定し、前記輪郭において、前記壁部が前記輪郭の各端部で曲線部を画定し、前記曲線部が、前記近位端部と前記遠位端部との間に曲率中心を有する、請求項１に記載の自動防火散水器組立体。
【請求項３】
前記曲線部が円弧を画定する、請求項２に記載の自動防火散水器組立体。
【請求項４】
前記封止組立体の前記本体が、第１の平面、前記中心軸に沿って前記第１の平面と交わり、二分割本体を画定する第２の平面に対し左右対称であり、前記二分割本体が、楕円形の輪郭を画定する、請求項１に記載の自動防火散水器組立体。
【請求項５】
前記本体の前記近位端部にある前記外面の一部分は、前記チャンバの内部の内部流体圧力が、前記外面の前記一部分に平行な前記内面の一部分に作用し、前記封止面に対して垂直な力を規定するように、前記封止面と係合する、請求項１から４のいずれか一項に記載の自動防火散水器組立体。
【請求項６】
前記封止組立体が、上面と、下面とを有するボタンを含み、前記上面が、前記本体を収容する第１の凹部を含み、前記下面が、前記熱反応性起動部と係合する第２の凹部を含む、請求項１から５のいずれか一項に記載の自動防火散水器組立体。
【請求項７】
前記散水器の枠体が、前記封止面の周りに形成された環状の溝を有し、前記ボタンの前記上面が、前記環状の溝と係合される、請求項６に記載の自動防火散水器組立体。
【請求項８】
前記本体が、エラストマー材料から作製される、請求項１または６に記載の自動防火散水器組立体。
【請求項９】
前記本体が、金属から作製される、請求項１または６に記載の自動防火散水器組立体。
【請求項１０】
前記散水器の枠体が、前記封止面の周りに形成された環状の溝を有し、前記封止面が、前記環状の溝の最近位部分を画定し、金属製の本体の近位部分が、前記環状の溝と係合される、請求項９に記載の自動防火散水器組立体。
【請求項１１】
入口と、出口と、前記入口と前記出口との間に中心軸に沿って延びる内部通路とを有する散水器の枠体であって、前記出口の周りに形成された封止面を含む散水器の枠体と、
熱反応性起動部と、
前記封止面と前記熱反応性起動部との間に配置された封止組立体であって、内部チャンバを画定する内面を有する本体を含み、前記内面が、前記封止面に対して配置される部分を含み、それにより前記内部チャンバ内に配置された流体が、前記内面の前記部分へ作用し、前記封止面の方向へ封止力を規定する、封止組立体と
を備える自動防火散水器組立体。
【請求項１２】
前記本体が、前記封止面に隣接する部分を有する外面を含み、前記封止力が、前記外面の前記部分と前記封止面との間に封止係合をもたらす、請求項１１に記載の自動防火散水器組立体。
【請求項１３】
前記本体が、第１の平面、中心軸に沿って前記第１の平面と交わり、二分割本体を画定する第２の平面に対し左右対称であり、前記二分割本体が、楕円形の輪郭を画定する、請求項１２に記載の自動防火散水器組立体。
【請求項１４】
前記本体が、近位端部と、遠位端部とを有し、前記本体が、前記内面を画定する壁部を有し、前記壁部が、前記内部チャンバと連通する開口部を前記近位端部に画定する、請求項１２または１３に記載の自動防火散水器組立体。
【請求項１５】
前記壁部が、前記輪郭の各端部で曲線部を画定し、前記曲線部が、前記近位端部と前記遠位端部との間に曲率中心を有する、請求項１４に記載の自動防火散水器組立体。
【請求項１６】
前記曲線部が、円弧を画定する、請求項１５に記載の自動防火散水器組立体。
【請求項１７】
前記本体が、エラストマー材料を含む、請求項１１から１６のいずれか一項に記載の自動防火散水器組立体。
【請求項１８】
前記本体が、金属材料を含む、請求項１１から１７のいずれか一項に記載の自動防火散水器組立体。
【請求項１９】
前記封止組立体が、上面と、下面とを有するボタンをさらに備え、前記上面が、前記本体を収容する第１の凹部を含み、前記下面が、前記熱反応性起動部と係合する第２の凹部を含む、請求項１１から１８のいずれか一項に記載の自動防火散水器組立体。
【請求項２０】
前記熱反応性起動部が、負荷ねじ不要型熱反応性起動部を含む、請求項１から１９のいずれか一項に記載の自動防火散水器組立体。
【請求項２１】
前記熱反応性起動部が、ガラス管球を含む、請求項１から２０のいずれか一項に記載の自動防火散水器組立体。
【請求項２２】
入口と、出口と、前記出口を取り囲む封止面とを含む散水器の枠体を有する自動防火散水器を封止する方法であって、
前記封止面を、前記封止面に隣接する封止組立体と係合するステップと、
前記封止組立体の内部チャンバを加圧するステップと
を含む方法。
【請求項２２】
前記封止組立体を、前記封止面と熱反応性起動部との間に装填するステップと、前記封止面と熱反応性起動部との間にスナップ嵌合を形成するステップとをさらに含む、請求項２２に記載の方法。
【請求項２３】
前記スナップ嵌合を形成する前記ステップが、前記封止組立体の高さよりも小さい、前記封止面と前記熱反応性起動部との間の軸方向距離を規定するステップを含む、請求項２３に記載の方法。
【請求項２４】
前記内部チャンバを加圧する前記ステップが、前記封止組立体の内部輪郭を画定し、前記輪郭が、実質的に楕円形である、請求項２２に記載の方法。
【請求項２５】
前記内部チャンバを加圧する前記ステップが、前記散水器の枠体の前記封止面に対して垂直な封止力を規定する、請求項２２に記載の方法。
【請求項２６】
ボタンの上面に沿って形成された第１の凹部内に本体を収容するステップと、前記ボタンの底面に沿って形成された第２の凹部内に熱反応性起動部を着座させるステップとをさらに含む、請求項２２に記載の方法。
【発明の詳細な説明】
【技術分野】
【０００１】
関連出願の相互参照
[0001]本国際出願は、参照により本明細書に全体的に組み込まれる、２０１３年７月３日出願の米国仮特許出願第６１／８４２，９５７号の優先権の利益を主張する。
【０００２】
[0002]本発明は、全体的には、防火装置に関し、より具体的には、散水器組立体、ならびに、それらの構成要素の構成および動作に関する。
【背景技術】
【０００３】
[0003]周知の自動防火散水器は、封止組立体を有し、封止組立体は、散水器の内部通路を封止する封止栓と、例えば、組立体を開放状態に付勢する皿ばね（Ｂｅｌｌｅｖｉｌｌｅ  ｓｐｒｉｎｇ）などの付勢要素と、例えば、栓および皿ばねが閉鎖および封止位置をとるように負荷をかける、ガラス管球などの熱反応性起動要素とを含むことができる。散水器の設置時に、ガラス管球は、封止ばね、栓、および任意の流体圧力に対する封止力をもたらすように適所に装填される。負荷ねじは、散水器の枠体外からてこ入れすることにより、負荷力をもたらす。周知の封止組立体の構成が、米国特許第８，０７４，７２５号、第７，２０１，２３４号、および第８，１５１，８９７号で示される。
【発明の概要】
【課題を解決するための手段】
【０００４】
[0004]自動散水器組立体の好ましい実施形態、およびその自己封止方法は、好ましくは、公知の散水器の封止組立体に必要な予負荷に比べ、小さい予負荷力を有する封止組立体を備える、散水器組立体を提供する。好ましい実施形態は、封止組立体を封止するために熱反応性起動部を用いることで、負荷ねじの必要性をなくす熱反応性起動部組立体とともに利用され得る、封止組立体を提供する。したがって、好ましい実施形態は、封止組立体と、負荷ねじ不要型（ｎｏｎ−ｌｏａｄ−ｓｃｒｅｗ）熱反応性起動部とを含む散水器を提供する。
【０００５】
[0005]自動防火散水器組立体の好ましい実施形態は、流体源に連結された入口と、出口と、入口と出口との間に延びる内部通路と、出口の周りに形成された封止面とを有する散水器の枠体を含む。組立体は、熱反応性起動部と、封止面と熱反応性起動部との間に配置された封止組立体をさらに含む。封止組立体は、好ましくは、内部チャンバを画定する内面を有する本体を含む。内面は、好ましくは、封止面に対して配置される部分を含み、それにより内部チャンバ内に配置された流体は、内面のこの部分へ作用し、封止面の方向へ封止力を規定する。
【０００６】
[0006]自動防火散水器組立体の別の好ましい実施形態は、入口と、出口と、入口および出口から延びる内部通路とを有し、封止面が出口の周りに形成された散水器の枠体を含む。組立体は、出口から離隔された偏向部材と、内部通路を封止する封止組立体とをさらに含む。封止組立体は、好ましくは、近位端部と、遠位端部と、中心軸を囲み、外面、および内部チャンバを形成する内面を画定する壁部とを有する本体を含む。壁部は、内部チャンバを内部通路に露出する開口部を本体の近位端部に、および、チャンバを閉鎖する床部を本体の遠位端部に画定する。散水器組立体は、封止組立体と偏向部材との間に配置され、本体の近位端部の一部分が封止面と係合し、内部チャンバと流体連通する内部通路との流体密封（ｆｌｕｉｄ  ｔｉｇｈｔ  ｓｅａｌ）を形成するように、出口において封止組立体を支持する熱反応性起動部を追加的に含む。
【０００７】
[0007]好ましい実施形態では、封止組立体の本体は、エラストマー材料、金属、またはエラストマー材料と金属の組み合わせ、あるいは、封止組立体の機能、すなわち、出口の封止面を封止し、熱反応性起動部を支持する機能を提供する、任意の他の適する材料から作製され得る。別の好ましい実施形態では、封止組立体の本体は、第１の平面に対し左右対称である。第２の平面は、中心軸に沿って第１の平面と交わり、二分割本体（ｂｉｓｅｃｔｅｄ  ｂｏｄｙ）を画定する。二分割本体は、平面断面輪郭を画定し、この輪郭において、壁部は輪郭の各端部で曲線部を有し、本体の近位端部と遠位端部との間に、曲線部が曲率中心を有し、好ましくは、二分割本体は、長円形または楕円形の輪郭を画定する。さらに別の好ましい実施形態では、本体の近位端部にある外面の一部分は、チャンバ内部の内部流体圧力が、この外面の一部分に平行な内面の一部分に作用し、封止面に対して垂直な力を規定するように、封止面と係合する。
【０００８】
[0008]さらに別の好ましい実施形態では、封止組立体は、上面と、下面とを有するボタンをさらに含む。ボタンの上面は、本体を収容する第１の凹部を有し、ボタンの下面は、熱反応性起動部と係合する第２の凹部を有する。またさらに別の好ましい実施形態では、散水器の枠体は、封止面の周りに形成された環状の溝を有し、ボタンの上面が、環状の溝と係合される。熱反応性起動部は、好ましくは、ガラス管球である。
【０００９】
[0009]入口と、出口と、出口を取り囲む封止面とを有する散水器の枠体を含む自動防火散水器を封止する、好ましい方法が提供される。好ましい方法は、封止面を、封止面に隣接する封止組立体と係合するステップと、本体の内部チャンバを加圧するステップとを含む。別の好ましい実施形態では、封止組立体が、封止面と熱反応性起動部との間に装填されると、封止面と熱反応性起動部との間にスナップ嵌合が形成される。
【００１０】
[0010]さらに別の好ましい実施形態では、スナップ嵌合を形成すると、封止面と熱反応性起動部との間の軸方向距離は、封止組立体の高さよりも小さくなる。内部チャンバは、実質的に楕円形である内部輪郭を有し、散水器の枠体の封止面に対して垂直な封止力を規定する。別の実施形態では、本体は、ボタンの上面に沿って形成された第１の凹部に収容され、ボタンの底面に沿った第２の凹部内に熱反応性起動部を着座させる。
【００１１】
[0011]本明細書に組み込まれ、本明細書の一部を構成する添付図面は、本発明の例示的な実施形態を例示し、上記の全体的な記載および以下の詳細な記載とともに、本発明の特徴を説明する役割を果たす。好ましい実施形態は、添付の特許請求の範囲で定められる本発明の、いくつかの例であるということを理解すべきである。
【図面の簡単な説明】
【００１２】
【図１】[0012]好ましい散水器組立体の斜視図である。
【図１Ａ】[0013]図１の散水器の斜視断面図である。
【図１Ｂ】[0014]図１の散水器の別の斜視断面図である。
【図２】[0015]図１の散水器組立体で使用する好ましい封止組立体の詳細な断面図である。
【図２Ａ】[0016]図１Ａの散水器組立体で使用される好ましい封止組立体の分解斜視図である。
【図２Ｂ】[0017]図２Ａの好ましい封止組立体の断面の平面図である。
【図２Ｃ】[0018]図５の散水器組立体で使用される別の好ましい封止組立体の斜視図である。
【図２Ｄ】[0019]図２Ｃの封止組立体の断面図である。
【図３】[0020]流体圧力下にある図１Ａの散水器組立体における好ましい本体の部分断面図である。
【図４】[0021]図１の散水器組立体の平面断面図である。
【図５】[0022]図５は、散水器組立体の別の好ましい実施形態の平面断面図である。
【図５Ａ】[0023]図５Ａは、図５で使用される封止組立体の詳細図である。
【発明を実施するための形態】
【００１３】
[0024]好ましい防火散水器組立体１０の例示的な実施形態が、図１および１Ａで示される。好ましい組立体１０は、散水器の枠体１２と、散水器の枠体１２と係合された偏向組立体１００とを含む。散水器の枠体は、散水器組立体１０を流体供給管のネットワークに連結する近位部分１４と、偏向組立体１００を支持する遠位部分１６とを有する。近位部分１４は、散水器の枠体１２の遠位部分１６に形成された出口１８ｂから放出する消火用流体、例えば、水を、内部流体通路１８の入口１８ａで受け入れるように構成される。内部通路は、好ましくは、散水器組立体の長手方向軸Ａ−Ａを画定し、その長さに沿って変わり得る内径を備える管状体である。散水器の枠体１２は、好ましくは、出口１８ｂを取り囲む封止面２０を含み、１つの態様では、好ましくは、封止面２０を取り囲む環状の溝２２を含む。
【００１４】
[0025]散水器組立体１０は、非作動状態と作動状態間で散水器組立体１０の動作を制御する、熱反応性起動部組立体３０を含む。非作動状態では、熱反応性起動部組立体３０は、好ましくは、自己封止式封止組立体５０が散水器の枠体１２の出口１８ｂを封止するように保つ。起動部組立体３０は、好ましくは、ガラス管球３０の好ましい形態において、熱反応性連結（ｔｈｅｒｍａｌｌｙ  ｒｅｓｐｏｎｓｉｖｅ  ｌｉｎｋ）または要素を含むが、しかしながら、任意の適切な熱反応性連結が、熱反応性起動部組立体３０で利用され得る。例えば火災時の、十分な量の熱に反応すると、熱反応性起動部組立体３０は、散水器組立体を作動状態にし、出口１８ｂから封止組立体５０を解放するように動作する。いったん作動されると、封止組立体５０は移動され、または排出され、出口１８ｂから水が放出され、所望の方法で火に向かう様式および／または密度で水を分散するために、偏向組立体１００に衝突する。
【００１５】
[0026]封止組立体５０の好ましい実施形態が、図２に示される。封止組立体５０は、近位端部５２ａと、遠位端部５２ｂと、中心軸Ｂ−Ｂを囲み、外面５６ａ、および内部チャンバ５８を形成する内面５６ｂを画定する壁部５４とを有する本体５２を含む。壁部５４は、枠体１２の内部流体通路１８に露出して、枠体１２の内部流体通路１８に内部チャンバ５８への流体接続（ｆｌｕｉｄ  ａｃｃｅｓｓ）を提供する開口部６０を本体５２の近位端部５２ａに、および、チャンバ５８を閉鎖する床部６２を本体５２の遠位端部に画定する。散水器組立体１０が非作動状態にある場合、熱反応性起動部３０は、本体５２の近位端部５２ａが封止面２０と係合し、散水器の枠体１２の内路１８に露出し、散水器の枠体１２の内路１８を本体５２の内部チャンバ５８と流体連通させるように、封止組立体５０を出口１８ｂにおいて支持し、負荷をかける。
【００１６】
[0027]本体５２の様々な図が、図２Ａおよび２ｂに示される。本体５２は、好ましくは、中心軸Ｂ−Ｂを通る平面に対し左右対称であり、より好ましくは、第１の平面Ｐ１、および第１の平面と交わる第２の平面Ｐ２に対し左右対称である。１つの好ましい実施形態では、本体５２およびその内部チャンバ５８は、鉢状の幾何形状を画定する。本体５２の壁部５４は、外面５６ａが、好ましくは、最大直径ＤＭＡＸを有する円形の幾何形状を画定するように軸Ｂ−Ｂを囲む。代替方法として、外面５６ａは、例えば、最大幅を規定する長方形または正方形などの非円形の幾何形状を画定してもよい。図２Ｂの断面図を参照すると、壁部５４は、好ましくは、弓形の側壁部を画定する。より好ましくは、壁部５４は、その中心Ｃ１が近位端部５２ａと遠位端部５２ｂとの間に配置される円弧を画定する。本体５２の好ましい対称性を考えると、壁部５４、より詳細には、本体５２の放射状の側壁部、その内面５６ｂ、および／またはその外面５６ａは、好ましくは、二分割断面において、略長円形または楕円形の輪郭を画定する。二分割断面は、壁部が輪郭の各端部で曲線部を画定する、平面断面輪郭を提供する。曲線部は、本体５２の近位端部と遠位端部との間に湾曲の中心を有する。
【００１７】
[0028]本体５２の幾何形状は、封止組立体５０の自己封止特性を促進する。より具体的には、内面５６ｂの輪郭は、本体５２と散水器の枠体１２の封止面２０との間に流体密封を形成する、外側に向けられた力を規定するように、チャンバ内部の流体圧力の方向を変更する。図３の略図を参照すると、消火用流体、例えば、水が、散水器の枠体１２の内部通路１８を満たし、本体５２の内部チャンバ５８を加圧する状態にある、散水器組立体１０に設置された本体５２の部分自由体図が示される。設置された封止組立体５０および本体５２は、遠位から近位方向に向けられた負荷力（図示せず）により、予め負荷が加えられる。負荷力は、好ましくは、例えば、ガラス管球３０などの、取り付けられた熱反応性起動部により印加される静的負荷である。負荷力は、好ましくは、本体５２を、枠体１２の封止面２０に押し付けて支持するのに十分な大きさであり、より好ましくは、本体５２を圧縮し、本体５２の壁部５４の湾曲半径を、好ましく小さくするために、壁部５４をゆがめるのに十分な大きさである。１つの好ましい実施形態では、本体５２は、本体５２の近位端部５２ａにある、または近位端部５２ａ近くの外面５６ａの一部分を、枠体１２の封止面２０に押し付けて位置させるように圧縮される。
【００１８】
[0029]散水器の枠体１２に送達された水は、内部通路１８を通り、出口１８ｂから流れ出て、ある圧力まで内部チャンバ５８を加圧する。流体圧力は、内面５６ｂの方々に分散された流体力により、本体５２の内面５６ｂに対して作用する。内部流体力は、本体５２の近位端部５２ａにある、または近位端部５２ａ近くの内面５６ｂの一部分に対して作用する力を含む。本体５２の近位端部５２ａにある、または近位端部５２ａ近くの内面５６ｂの相対的な位置決めにより、内面５６ｂに作用する流体力は、封止力Ｆ１を規定する。より具体的には、本体５２の近位部分に沿った内力は、好ましくは、分解されて、遠位から近位方向へ、封止面２０対して略垂直に延びる封止力Ｆ１になり、封止面２０と、流体力が作用する内面５６ｂの近位部分に対して好ましくは平行の、外面５６ａの好ましい近位部分との間に、好ましい係合の流体密封を形成する。外側面５６ａに対して近位から遠位方向へ作用する反力Ｆ２は、開口部６０から壁部５４の横方向外側の側壁部へ向かう方向に放射状に変化する。反力Ｆ２は、壁部５４の外面５６ａ上の圧力の関数として変わり、好ましくは、外側の横面で最小圧力、中心の開口部６０に向かって最大圧力を有し、放物線状に変化する。したがって、図３に示される、内部チャンバ５８へ送達された流体圧力１．７２ＭＰａ（２５０ｐｓｉ）の例では、反力Ｆ２は、開口部６０で１．７２ＭＰａ（２５０ｐｓｉ）の最大圧力であり、横方向の最も外側に向かって約０まで減少する。本体５２と封止面２０との間の流体密封を保つために、封止力Ｆ１は、反力Ｆ２よりも大きい。より好ましくは、これらの力は、封止力Ｆ１が、反力Ｆ２よりも大きい、または反力Ｆ２の２倍にほぼ等しくなるように相互に関連する。封止力Ｆ１の大きさは、流体圧力に直接関連する。したがって、送達される流体圧力ＰＷの増加は、封止力Ｆ１を増加させる。好ましい封止組立体５０の自己封止特性およびその幾何形状の１つの有利性は、本体５２およびその中心軸Ｂ−Ｂが、長手方向軸Ａ−Ａに関してわずかにゆがんだとしても、組立体が流体密封を保ち得ることである。
【００１９】
[0030]記載された好ましい実施形態では、本体５２の幾何形状は、本体５２の外面５６ａの一部分と枠体１２の封止面２０との間の封止係合の形成を促進する。本体の近位端部５２ａは、代替方法として、本体の内面５６ｂの形状構成が、内部チャンバ内の流体圧力ＰＷを遠位から近位方向へ向け、本体５２と封止面２０との間に流体密封を形成するのに十分な大きさの、封止面２０に対して垂直な封止力Ｆ２を前述の方法で生成する限り、封止面２０と係合するために、内面５６ｂに沿って、または内面５６ｂと外面５６ａとの間に、突縁または他の領域を画定するように構成されてもよい。
【００２０】
[0031]封止組立体５０の１つの好ましい実施形態では、本体５２は、好ましくは、ゴム、または、例えば、エチレンプロピレンジエンモノマー（ＥＰＤＭ：Ｅｔｈｙｌｅｎｅ  Ｐｒｏｐｙｌｅｎｅ  Ｄｉｅｎｅ  Ｍｏｎｏｍｅｒ）などのエラストマー材料から形成される。したがって、１つの好ましい態様では、本体５２は、好ましい散水器の軸Ａ−Ａに沿って熱反応性起動部３０を支持するのに十分な硬度を有し、さらに、封止組立体５０およびその本体が、前述のように、設置され、圧縮し、ゆがみ、様々な負荷力下で封止係合を形成することが可能となる程度に柔軟性を有する、または圧縮可能である。図１Ａ、２、および４を参照し、エラストマーの封止組立体５０は、好ましくは、本体５２と熱反応性起動部３０との間に配置されるボタン７０をさらに含む。ボタン７０は、好ましくは、本体５２を収容し、熱反応性起動部３０のための座部７４を提供し、本体５２の床部６２にわたって略均一に起動部の負荷力を分散するように構成される。より具体的には、ボタン７０は、本体５２を収容するのに十分な深さと直径を有する第１の凹部７３を備える上面７２ａを有する。さらに、図２で見られるように、第１の凹部７３の深さは、環状の溝２２内部への挿入または係合に好ましい壁厚を規定する。ボタン７０と環状の溝２２との間の係合は、出口１８ｂにわたる本体５２の中心合わせを促進する。ボタン７０は、好ましくは、下面をさらに含み、下面は、好ましくは、熱反応性起動部３０の近位端部を係合し着座させる第２の凹部７４を含む。より好ましくは、第２の凹部７４は、ガラス管球３０の一方の端部を支持するのに十分な幅と深さを有する寸法に設定される。好ましい管球３０の端部が、略球形状または涙滴形状の場合、凹部７４は、それに対応して、管球３０の外端面と係合する湾曲の直径および半径を備えて窪みを付けられる。本体５２にわたって略均一に負荷力を分散するのに加えて、ボタン７０は、本体５２の遠位の外面５６ａに沿って、管球または起動部３０用の着座凹部を形成する必要性を排除する。
【００２１】
[0032]ボタン７０を含むことの代替方法として、本体５２が、熱反応性起動部３０の端部を着座させる凹部または他の表面形状構成の形成を可能にするのに十分な厚さを有するのであれば、封止組立体５０は、ボタン７０を排除することができる。このようにして、本体５２自体が封止組立体５０を提供する。さらなる代替方法では、本体は、例えば、金属などの代替的な材料から作製され得る。封止組立体２５０の別の好ましい実施形態を有する代替的な散水器組立体１０’が、図２Ｃ、２Ｂ、５、および５Ａに示される。封止組立体２５０は、例えば、ニッケル、銅、または合金鋼などの金属から作製された本体２５２を含む。本体２５２は、幾何学的には、内部チャンバ２５８を画定する内面２５６ｂを備えて、前述の本体５２と同様に構成される。金属製の本体２５２は、好ましくは、十分な弾力性および柔軟性を有し、その結果本明細書に記載されるように形成され得、設置され得、負荷がかけられ得、自己封止機能を提供することができるが、しかしながら、所望によりある種の応用例では、金属製の本体２５２は、ボタン７０とともに利用され、封止組立体５０を提供し得ることを理解すべきである。図示されるように、本体の遠位端部２５２ｂにある外面２５６ａは、熱反応性起動部３０の近位端部と係合される。したがって、本体２５２は、好ましくは、ガラス管球３０を着座させるために、その遠位端部２５２ｂに凹部を備えて構成される。本体２５２は、さらに好ましくは、取り囲むボタン筺体がない状態で本体２５２の中心合わせをするために、本体２５２の近位端部２５２ａが、好ましくは、環状の溝２２内部に配置されるような寸法に設定される。流体圧力下では、外面２５６ａの近位部分は、図５Ａで見られるように、前述の方法で、環状の溝２２の最近位面２０’と封止係合を形成する。
【００２２】
[0033]散水器１０、１０’の製造、組立、および輸送時に、好ましい封止組立体５０、２５０は、散水器の枠体１２の封止面２０と熱反応性起動部３０との間に、好ましいスナップ嵌合を形成する。熱反応性起動部は、好ましくは、近位端部３０ａが封止組立体５０に押し付けられて支持され、遠位端部３０ｂが散水器の枠体１２によって支持された状態で配置され、散水器の軸Ａ−Ａに沿って略軸方向で位置合わせされる。図４および５を参照すると、散水器組立体１０、１０’のそれぞれが、共通の散水器の枠体１２を備えて示され、熱反応性起動部は、共通して、ガラス管球３０として具現化されて示される。好ましい実施形態では、ガラス管球３０の遠位端部３０ｂは、橋梁部９０により支持され、橋梁部９０は、枠本体の遠位部分１６から遠位に延びる枠柱または支柱８０ａ、８０ｂにより支持される。
【００２３】
[0034]散水器１０、１０’を組み立てるために、封止組立体５０、２５０は、封止面２０とガラス管球３０との間に挿入され、好ましいスナップ嵌合関係を形成する。ガラス管球３０の遠位端部３０ｂが、橋梁部９０に形成された受け孔または座部内部に配置され、間隔ｙが、封止面２０とガラス管球３０の近位端部３０ａとの間に規定される。封止組立体５０の非圧縮時の高さは、好ましくは、間隔ｙよりも大きい。例えば、図２Ａ〜２Ｄにおける本体５２、２５２の非圧縮時の図を参照すると、本体２５２単体の高さ（Ｈ１’）、または、組み立てられた本体５２およびボタン７０の組み合わせの高さ（Ｈ１）は、好ましくは、間隔ｙよりも大きい。したがって、散水器１０、１０’を組み立てる際に、まず封止組立体５０を装填するため、封止組立体５０、２５０は、封止面２０と管球３０の近位端部３０ａとの間の隙間への挿入のために圧縮される。挿入すると、本体５２、２５２の弾力性が、封止組立体５０、２５０を拡張し、封止面２０と管球３０の近位端部３０ａとの間に、好ましいスナップ嵌合を形成する。ガラス管球３０は、例えば、参照により全体的に組み込まれる、米国特許第４，７９６，７１０号に見られるような、先細の狭い毛管状端部を有する略管状構造体である。先細の狭い毛管状端部を有する略管状構造体であるガラス管球３０のさらなる詳細が、参照により全体的に組み込まれる、２０１４年３月１２日出願の国際出願番号ＰＣＴ／ＵＳ２０１４／０２５０３４（これは、米国仮特許出願第６１／７８０、８４０号の優先権を主張する）に示され、記載されており、反対側の略球形状または涙滴形状の端部は、封止組立体５０と係合される近位端部３０ａを画定し、かなり狭い毛管状端部は、好ましくは、橋梁部９０と係合される熱反応性起動部３０の遠位端部３０ｂを画定する。
【００２４】
[0035]設置された弾力性の本体５２の拡張が、図４における管球３０の近位端部３０ａとボタン７０の座部７４との、または図５の本体２５２の座部２７４との間の支持または係合を強める。図２Ｂ、４、および５を再び参照すると、本体５２の最大直径ＤＭａｘは、好ましくは、散水器の枠体１２の出口１８ｂの直径Ｄよりも大きく、本体５２の外面５６ａの近位部分を、封止面２０に極めて近接して、または隣接して位置させる。設置し、内部チャンバ５８へ加圧された流体を導入すると、好ましくは、本体５２の外面と封止面２０との間に、前述した方法で、流体密封が生じる。
【００２５】
[0036]散水器１０、１０’の好ましい実施形態は、初めのスナップ嵌合を使用して、最初に、ガラス管球３０および封止組立体５０に負荷をかけ、それから、内部流体圧力を使用して、封止面２０での流体密封を形成するので、封止組立体５０の好ましい実施形態は、周知の自動散水器の封止組立体に比べて負荷要件を低くすることができる。したがって、散水器の封止組立体５０、２５０の好ましい実施形態は、負荷ねじの必要性を排除することができる。好ましい実施形態は、負荷ねじ不要型熱反応性起動部を含む散水器１０、１０’を提供する。より詳細には、熱反応性起動部、例えば、管球３０は、負荷ねじを用いずに散水器１０、１０’内部で使用される。さらには、以下で述べるように、熱反応性起動部は、例えば、てこおよび半田連結構成などの任意の周知の、ただし、負荷ねじ不要型熱反応性起動部を提供するために負荷ねじなしで利用される構成であってもよい。しかしながら、封止組立体の記載された実施形態は、封止組立体５０、２５０に負荷をかけ、封止するために、熱反応性起動部および負荷ねじとともに使用されることもできるということを理解すべきである。封止および管球組立体に負荷をかける負荷ねじのさらなる詳細は、例えば、参照により全体的に組み込まれる、２０１４年３月１２日出願の国際出願番号ＰＣＴ／ＵＳ２０１４／０２５０３４（これは、米国仮特許出願第６１／７８０、８４０号の優先権を主張する）に示され、記載される。
【００２６】
[0037]図４および５の散水器組立体１０、１０’は、下方垂下型散水器（ｄｒｏｐ−ｄｏｗｎ  ｐｅｎｄｅｎｔ  ｓｐｒｉｎｋｌｅｒｓ）として示され、下方垂下型散水器では、偏向部材１００は、隠蔽盾面（図示せず）が熱分離すると、遠位に横移動する。その最大限に遠位の位置で、偏向部１００は、枠体１２の支柱８０ａ、８０ｂの遠位端部により支持されて示される。散水器の枠体は、好ましくは、例えば、塩素化ポリ塩化ビニル（ＣＰＶＣ）材料、より具体的には、ＡＳＴＭ  Ｆ４４２に規定されており、参照により全体的に組み込まれる技術データシート、ＴＦＰ１９１５：「Ｂｌａｚｅｍａｓｔｅｒ  ＣＰＶＣ  Ｓｐｒｉｎｋｌｅｒ  Ｐｉｐｅ  ａｎｄ  Ｆｉｔｔｉｎｇｓ  Ｓｕｂｍｉｔｔａｌ  Ｓｈｅｅｔ」（２００８年６月）に示され、記載される、ＢＬＡＺＥＭＡＳＴＥＲ（登録商標）ＣＰＶＣ散水器用配管および付属品を製造するのに使用される材料とほぼ同様の、ＣＰＶＣ材料などのプラスチック材料から形成される。しかしながら、散水器組立体は、例えば、鋳造された、および機械加工された鉄または真鍮などの他の材料から形成されてもよい。好ましい隠蔽された垂下型散水器の枠体１２、偏向部１００、および盾面の追加的な詳細が、参照により全体的に組み込まれる、２０１４年３月１２日出願の国際出願番号ＰＣＴ／ＵＳ２０１４／０２５０３４（これは、米国仮特許出願第６１／７８０、８４０号の優先権を主張する）の詳細な説明および図面で示され、記載される。しかしながら、好ましい封止組立体５０の応用範囲は、他の散水器の枠体の構成、および起動部組立体における使用に広げられ得ることを理解すべきである。概して、散水器の枠体の封止面および熱的起動部が、封止組立体を挿入する寸法に設定され、構成されることを条件として、封止組立体５０の好ましい実施形態は、前述のように流体圧力負荷下で、封止が熱的起動部により支持される、任意の散水器組立体とともに使用され得る。したがって、好ましい封止組立体は、（ｉ）枠体の出口から遠位に延び、散水器の頂部と一体的に形成された枠体アーム、（ｉｉ）散水器の頂部近くにてこ入れされた、または取り付けられた、例えば、てこ、および半田連結構成などの熱反応性起動部、および／または（ｉｉｉ）頂部に取り付けられた、固定された偏向部、を含む散水器の枠体とともに使用され得る。例えば、好ましい封止組立体５０、２５０は、それぞれが参照により全体的に組み込まれる、米国特許第４，２９６，８１５号、第６，０５９，０４４号、第６，９７６，５４３号、第７，５１６，８００号、第８，０７４，７２５号、第７，２０１，２３４号、および第８，１５１，８９７号、ならびに、米国特許出願公開第２０１０／０２６３８８３号で示される散水器組立体および起動部組立体のうちのいずれか１つで使用され得る。
【００２７】
[0038]特定の実施形態を参照して本発明が開示されたが、添付の特許請求の範囲で規定される本発明の領域および範囲から逸脱せずに、記載された実施形態に対する多くの修正、改変、および変更が可能である。したがって、本発明は、記載された実施形態に限定されず、以下の特許請求の範囲の文言、およびそれらの均等物により規定される全範囲を有することを意図する。
【図１】
2016530911.tif 000003
【図１Ａ】
2016530911.tif 000004
【図１Ｂ】
2016530911.tif 000005
【図２】
2016530911.tif 000006
【図２Ａ】
2016530911.tif 000007
【図２Ｂ】
2016530911.tif 000008
【図２Ｃ】
2016530911.tif 000009
【図２Ｄ】
2016530911.tif 000010
【図３】
2016530911.tif 000011
【図４】
2016530911.tif 000012
【図５】
2016530911.tif 000013
【図５Ａ】
2016530911.tif 000014
【国際調査報告】
2016530911.tif 000015
2016530911.tif 000016
2016530911.tif 000017